(57)【要約】【課題】携帯端末の操作によりサーバのデータを入手してデータ処理装置によりプリント処理等する際のデータ処理料金やコンテンツ料金を適正に課金できる課金システムを提供する。【解決手段】携帯端末１０１によりネットワーク１０３上のサーバ１０４内のデータを選択し、さらにデータ処理装置情報をサーバ１０４に送信し、前記サーバ１０４がその情報に基づいて、ユーザ選択データとそのデータのコンテンツ料金情報をデータ処理装置１０２に送信する。さらにデータ処理装置１０２からの課金要求信号を受信して携帯端末会社４に携帯端末情報と課金情報とを通知する。前記データ処理装置１０２は、前記サーバ１０４から受信したデータとコンテンツ料金情報から、コンテンツ料金とデータ処理料金を得て、データを出力できると判断した際に、前記サーバ１０４に課金要求信号を送信する。【選択図】  図５
2006195920.tif 000002
【特許請求の範囲】
【請求項１】
携帯端末と、サーバと、データ処理装置とが接続されているネットワークを利用した課金システムにおいて、
前記携帯端末は、
前記サーバにアクセスするアクセス手段と、
前記サーバ内のデータを選択する選択手段と、
前記データ処理装置の情報を取得する情報取得手段と、
前記取得したデータ処理装置情報をサーバに送信する情報送信手段と
を備え、
前記サーバは、
前記携帯端末から受信したデータ処理装置情報に基づいて、選択されたデータとそのデータのコンテンツ料金情報を前記データ処理装置に送信する情報送信手段と、
前記データ処理装置からの課金要求信号を受信した際、携帯端末会社に携帯端末情報と課金情報とを通知する課金情報通知手段と、
を備え、
前記データ処理装置は、
前記サーバから受信したデータとコンテンツ料金情報から、コンテンツ料金とユーザが前記データについて要求する処理に対する料金を表示する表示手段と、
受信データを出力できると判断した際に、前記サーバに課金要求信号を送信する課金要求信号送信手段と、
を備えていることを特徴とする課金システム。
【請求項２】
前記データ処理装置は、ユーザからプリントアウトを要求された場合、サーバから受信したページ記述言語のデータを印刷可能なデータに変換して、ページ毎にカラーかモノクロかを判断し、それに応じたプリント料金の課金を行う請求項１に記載の課金システム。
【請求項３】
前記データ処理装置は、ユーザから電子データのコピーを要求された場合、それに対応したデータコピー料金の課金を行う請求項１に記載の課金システム。
【請求項４】
前記データ処理装置は、ユーザから電子データのコピーとデータ変換処理を要求された場合、それに対応したデータコピー料金とデータ変換料金の課金を行う請求項１に記載の課金システム。
【請求項５】
前記データ処理装置は、サーバから受信したデータを出力することができないと判断した際には、そのデータを消去するとともに、前記サーバに対して課金要求信号を送信しないように構成されている請求項１ないしは４のいずれかに記載の課金システム。
【請求項６】
請求項１〜５のいずれかに記載の課金システムに用いられるデータ処理装置。
【発明の詳細な説明】
【技術分野】
【０００１】
この発明は、携帯電話やＰＤＡ等の携帯端末とデータ処理装置とサーバとが接続されているネットワーク環境下でのデータ使用料金の支払いに適用される課金システム、及び同システムに用いられるデータ処理装置に関する。
【背景技術】
【０００２】
携帯電話等の携帯端末の普及に伴って、出先で携帯端末から多機能複合機であるＭＦＰ（Multi Function Peripherals)等のデータ処理装置を指定するとともに、サーバ内のコンテンツを選択し、コンテンツ情報を前記ＭＦＰでプリントアウトしたり、あるいは電子データで取得したいという要求が増えてきている。
【０００３】
従来、この種のシステムとして、例えばユーザがデータ処理装置に情報を入力し、サーバ上に印刷データがある場合には、データ処理装置を介して表示される料金を支払った後、前記印刷データの出力を得ることが可能となり、一方、データ処理装置では、印刷データ量と記憶媒体使用時間に応じて課金できるシステムが知られている（例えば、特許文献１参照）。
【０００４】
また、これとは別に、例えば携帯電話により、サーバにアクセスしてコンテンツ情報を取得し、携帯電話で前記コンテンツ情報をネットワーク上のプリンタに送り、プリンタがサーバにアクセスしデータをダウンロードしてプリントし、コンテンツ料金とプリント料金をプリンタから携帯電話に課金し、携帯電話会社を通じてユーザに請求するようにしたシステムが知られている（例えば、特許文献２参照）。
【特許文献１】特開２００３−２８０８６９号公報
【特許文献２】特開２００３−２０８２９４号公報
【発明の開示】
【発明が解決しようとする課題】
【０００５】
しかし、従来の前者の公知技術のように、サーバがデータ処理装置にデータを送信する前に料金を支払う構成では、データ処理装置でプリントアウトできない事態が生じた場合、データが出力されていないのに、料金を支払うことになる。
【０００６】
また、従来の後者の公知技術のように、データ処理装置が全データをプリンタアウトした後に、課金を行う場合、途中でプリントを強制終了すると、コンテンツ料金が正しく支払われないという問題が起きる。
【０００７】
この発明は、上記実情に鑑みてなされたものであり、携帯端末の操作によりサーバのデータを入手してデータ処理装置によりプリント処理等する際のデータ処理料金やコンテンツ料金を適正に課金できる課金システム、及び同システムに用いられるデータ処理装置を提供することを課題とする。
【課題を解決するための手段】
【０００８】
上記課題は、以下の手段によって解決される。
（１）携帯端末と、サーバと、データ処理装置とが接続されているネットワークを利用した課金システムにおいて、前記携帯端末は、前記サーバにアクセスするアクセス手段と、前記サーバ内のデータを選択する選択手段と、前記データ処理装置の情報を取得する情報取得手段と、前記取得したデータ処理装置情報をサーバに送信する情報送信手段とを備え、前記サーバは、前記携帯端末から受信したデータ処理装置情報に基づいて、選択されたデータとそのデータのコンテンツ料金情報を前記データ処理装置に送信する情報送信手段と、前記データ処理装置からの課金要求信号を受信した際、携帯端末会社に携帯端末情報と課金情報とを通知する課金情報通知手段と、を備え、前記データ処理装置は、前記サーバから受信したデータとコンテンツ料金情報から、コンテンツ料金とユーザが前記データについて要求する処理に対する料金を表示する表示手段と、受信データを出力できると判断した際に、前記サーバに課金要求信号を送信する課金要求信号送信手段と、を備えていることを特徴とする課金システム。
（２）前記データ処理装置は、ユーザからプリントアウトを要求された場合、サーバから受信したページ記述言語のデータを印刷可能なデータに変換して、ページ毎にカラーかモノクロかを判断し、それに応じたプリント料金の課金を行う前項１に記載の課金システム。
（３）前記データ処理装置は、ユーザから電子データのコピーを要求された場合、それに対応したデータコピー料金の課金を行う前項１に記載の課金システム。
（４）前記データ処理装置は、ユーザから電子データのコピーとデータ変換処理を要求された場合、それに対応したデータコピー料金とデータ変換料金の課金を行う前項１に記載の課金システム。
（５）前記データ処理装置は、サーバから受信したデータを出力することができないと判断した際には、そのデータを消去するとともに、前記サーバに対して課金要求信号を送信しないように構成されている前項１ないしは４のいずれかに記載の課金システム。
（６）前項１〜５のいずれかに記載の課金システムに用いられるデータ処理装置。
【発明の効果】
【０００９】
前項（１）に記載の発明によれば、携帯電話のような携帯端末からサーバにアクセスし、プリントしたいデータ（コンテンツ）を選択し、さらに携帯端末から出力先のデータ処理装置のＩＰアドレスなどのデータ処理装置情報をサーバに送信すると、サーバが受信したデータ処理装置情報をもとに、ユーザが選択したデータを当該データ処理装置に送信するとともに、コンテンツ料金情報も送信する。他方、データ処理装置では、サーバからのデータとコンテンツ料金情報を受け取ると、パネル上でユーザに通知するとともに、サーバからのデータに対して何の処理を行うかを選択させ、ユーザが選択した処理が可能であれば、プリント処理料金とコンテンツ料金とをパネルに表示し、サーバに課金情報（処理料金とコンテンツ料金）を送信し、サーバでは、課金情報を受信すると、携帯端末会社に携帯端末情報と課金情報を送信する。
【００１０】
これにより、サーバにあるデータ（コンテンツ）をユーザが選択し、データが出力されて初めてユーザが要求した処理に応じた処理料金やコンテンツ料金がユーザに対して適正に課金される。従って、データが出力されないのに料金を支払ったり、途中でデータ処理を強制的に終了したときに、コンテンツ料金が適正に支払われないというような不都合を解消できる。
【００１１】
前項（２）に記載の発明によれば、ユーザからデータのプリント要求があった場合、サーバから受信したページ記述言語のデータを印刷可能なデータに変換しページ毎にカラー／モノクロを判断するから、部分的にモノクロのページがある場合に、すべてカラー料金が課金されるという不具合を解消できる。
【００１２】
前項（３）に記載の発明によれば、ユーザが携帯端末からサーバにあるデータを電子データで入手したいという要求に対して、プリント料金と異なるコピー料金とコンテンツ料金とを正しく課金できる。
【００１３】
前項（４）に記載の発明によれば、ユーザから電子データと、ＲＩＰ、色空間処理、画質補正、傾き補正、天地補正、文字補正および文字サイズ編集などのデータ変換処理が要求された場合には、前記データ変換処理に応じた適正な課金を行うことができる。
【００１４】
前項（５）に記載の発明によれば、サーバから受信したデータが出力できないのに、課金されたり、出力できない受信データがそのまま残存したりするおそれをなくすことができる。
【００１５】
前項（６）に記載の発明によれば、ユーザが要求した処理に応じた処理料金やコンテンツ料金が適正に課金される上記課金管理システムの構築が可能となる。
【発明を実施するための最良の形態】
【００１６】
以下、この発明の一実施形態を図面に基づいて説明する。
【００１７】
図１は、この発明の一実施形態に係る課金システムを示す構成図である。
【００１８】
図１において、この課金システムは、携帯端末１０１と、データ処理装置としてのＭＦＰ１０２と、サーバ１０４とを備えており、これら携帯端末１０１、ＭＦＰ１０２およびサーバ１０４は、互いに有線あるいは無線のネットワーク１０３を介して接続されている。このネットワーク１０３を介して、携帯端末１０１からサーバ１０４内に蓄積されたデータ（コンテンツ）にアクセス可能である。
【００１９】
図２は、前記ＭＦＰ１０２の電気的構成を示すブロック図である。
【００２０】
図２において、このＭＦＰ１０２は、コピー機能、プリンタ機能、ファクシミリ機能、スキャン機能等を備えた多機能型画像形成装置であり、ＣＰＵ２０１と、操作用のパネル２０２と、ネットワークインターフェイスカード（ＮＩＣという）２０３と、ハードディスク（ＨＤという）２０４と、データ変換部２０５と、ユーザ識別部２０６と、課金管理部２０７と、メモリコピー部２０８とを備えている。
【００２１】
前記ＣＰＵ２０１は、このＭＦＰ１全体を統括制御する他に、各種の判断を行う。例えば、サーバ１０４から受信したデータを出力できるか否かを判断し、データを出力できると判断した場合には課金管理部２０７に課金要求信号を出力させる。データを出力できないと判断した場合には、当該データを消去し、その旨を後述するパネル２０２の表示部２０２１等に表示するとともに、サーバ１０４に対する課金要求信号を送出させないようにする。また、ＣＰＵ２０１は、サーバ１０４から受信したデータを、後述するようにＲＩＰ展開したときに、ページ毎にカラーかモノクロかを判断する。
【００２２】
前記操作パネル２０２は、ユーザがプリントアウト、データ変換などについての各種設定を入力したり、ログイン／ログアウトの操作を行うためのものであり、ＬＣＤなどからなる表示部２０２１を有している。
【００２３】
この表示部２０２１は、サーバ１０４から受信したデータとコンテンツ料金情報から、ユーザが要求する処理に対する料金とコンテンツ料金とを表示可能である。
【００２４】
前記ＮＩＣ２０３は、ＭＦＰ１０２をネットワーク１０３に接続するためのものであり、前記ＣＰＵ２０１が前記サーバ１０４から受信したデータを出力できると判断した場合に、サーバ１０４に課金要求信号を送信する手段を構成している。
【００２５】
前記ＨＤ２０４は、ＭＦＰ１０２自身の内部情報を記憶したり、サーバ１０４から受信したデータなどを蓄積するための記憶装置である。
【００２６】
前記データ変換部２０５は、サーバ１０４から受信したデータの変換を行うものである。このデータ変換としては、ＲＩＰ（Raster Image Processor)展開、色空間処理、画質補正、傾き補正、天地補正、文字補正および文字サイズ編集などがある。ＲＩＰ展開とは、ポストスプリクト（PostScript）等のページ記述言語で記述されたデータを印刷や表示が可能なビットマップデータに展開することをいう。
【００２７】
前記ユーザ識別部２０６は、携帯端末１０１の識別情報（ＩＤ）に基づいてユーザを識別するものである。
【００２８】
前記課金管理部２０７は、プリント料金等の各データ処理料金を記憶するとともに、ユーザが要求する処理に対して発生する料金の計算を行い、さらに計算した料金とサーバ１０４から送られてきたコンテンツ料金の合計を、ＣＰＵ２０１の制御に従い、課金情報として外部に通知するものである。例えば、ユーザからプリントアウトを要求された場合、サーバ１０４からの受信データを前記データ変換部２０５でＲＩＰ展開し、ページ毎のカラー／モノクロの判断結果に基づいて、対応するプリント料金を計算し、課金するようになっている。
【００２９】
また、課金管理部２０７は、ユーザからサーバ１０４のデータの電子コピーが要求されると、それに対応したデータコピー料金の計算、課金を行い、さらに、ユーザから電子データコピーとデータ変換処理を要求された場合、それに対応したデータコピー料金とデータ変換料金を計算し、課金する。
【００３０】
前記メモリコピー部２０８は、該コピー部２０８に接続されたＵＳＢメモリやＳＤカードなどのメモリに、データをコピーするものである。
【００３１】
図３は、前記携帯端末１０１の要部の構成を示すブロック図である。
【００３２】
図３において、携帯端末１０１はこの実施形態では携帯電話からなる。携帯端末１０１は、ネットワーク１０３を介してサーバ１０４にアクセスし、サーバ１０４から送信されてくるデータを受信したり、ＭＦＰ１０２に関する情報をサーバ１０４に送信したりするための通信用インターフェイス部（通信用Ｉ／Ｆ）１０１１と、サーバ１０４内に保存されているデータ（コンテンツ）を選択するための操作部１０１２と、ＭＦＰ１０２のＩＰアドレス等の情報を取得するＭＦＰ情報取得部１０１３と、取得したＭＦＰ情報やサーバ１０４から送られてきたデータ等を記憶するメモリ部１０１４と、サーバ１０４から送られてきたデータやその他のデータを表示する表示部１０１５と、携帯端末１０１の全体動作を制御する制御部１０１６を備えている。
【００３３】
なお、前記情報取得部１０１３によるＭＦＰ情報の取得は、ユーザがＩＰアドレス等のＭＦＰ情報を入力することにより行うものとしても良いし、ＭＦＰ１０２に表示されているＭＦＰ情報を、携帯端末１０１のカメラ機能を使用して撮影することにより取得しても良い。
【００３４】
図４は、前記サーバ１０４の要部の構成を示すブロック図である。
【００３５】
図４において、前記サーバ１０４は、ネットワーク１０３を介して携帯端末１０１やＭＦＰ１０２と通信を行うための通信用インターフェイス部（通信用Ｉ／Ｆ）１０４１と、各種データ（コンテンツ）を蓄積保存するデータ格納部１０４２と、各データについてのコンテンツ料金を管理するコンテンツ料金管理部１０４３と、ＭＦＰ１０２から送信されてきた課金情報等を記憶するメモリ部１０４４と、サーバ全体を制御する制御部１０４５を備えている。
【００３６】
そして、サーバ１０４は、携帯端末１０１の要求に応じて、データ格納部１０４２に格納されているコンテンツのデータを、通信用インターフェイス部１０４１を介して携帯端末１０１に送信したり、携帯端末１０１から送信されたＭＦＰ情報を受信したり、受信したＭＦＰ情報に基づいて、ユーザが選択したデータとコンテンツ料金管理部１０４３で管理されているそのデータについてのコンテンツ料金情報を、対応するＭＦＰ１０２に送信したり、ＭＦＰ１０２からの課金要求信号を受信した際、携帯端末会社、例えば携帯電話会社３０４（図５）に携帯電話情報と課金情報を通知する等の動作を行うものである。
【００３７】
図５は、図１に示した課金システムにおいて、サーバ１０４内のデータをＭＦＰ１でプリントする場合の処理の流れを示す図である。なお、以下の説明ならびに図面では、ステップをＳと略記する。
【００３８】
図５において、携帯端末（携帯電話）１０１からネットワーク１０３経由でサーバ１０４にアクセスし、プリントしたいデータ（コンテンツ）を選択する（Ｓ３０１）。ついで、携帯端末１０１は、出力先ＭＦＰ１０２の例えばＩＰアドレス等のＭＦＰ情報を取得し（Ｓ３０２）、取得したＭＦＰ情報をサーバ１０４に送信する（Ｓ３０３）。
【００３９】
サーバ１０４は、携帯端末１０１から受信したＭＦＰ情報をもとに、ユーザが選択したデータをＭＦＰ１０２に送信する。この時、データにコンテンツ料金が付加される場合は、コンテンツ料金情報も同時に送る（Ｓ３０４）。
【００４０】
ＭＦＰ１０２は、サーバ１０４からデータとコンテンツ料金情報を受け取ると、その旨をパネル２０２の表示部２０２１によりユーザに通知する。また、サーバ１０４から受信したデータに対して何の処理を行うかや、処理のための設定などをパネル２０２の表示部２０２１に表示し、ユーザに選択させる。
【００４１】
ユーザがプリントアウトの処理を選択した場合、ＭＦＰ１０２は、サーバ１０４からのデータをＲＩＰ展開し、プリントアウト可能か否かを判断する。プリントアウトが可能だと判断すると、ＭＦＰ１０２の課金管理部２０７は、プリント料金とコンテンツ料金とをパネル２０２の表示部２０２１に表示し、ユーザの了承を得る。
【００４２】
なお、ＲＩＰ展開したデータに対し、ページ毎にカラーかモノクロかを判断し（ＡＣＳ）、全ページモノクロの場合の場合は、モノクロプリントのプリント料金を表示する。カラーページが含まれる場合には、カラープリントかモノクロプリントかをパネル２０２でユーザに選択させる。ユーザがカラープリントを選択した場合でも、ページによってはモノクロデータのみのページは、モノクロ料金で計算する。
【００４３】
ユーザから了承を得た後、サーバ１０４に課金情報（プリント料金とコンテンツ料金）を送信し（Ｓ３０５）、プリントアウトを開始する（Ｓ３０６）。
【００４４】
前記サーバ１０４は、ＭＦＰ１０２から課金情報を受信すると、携帯電話会社４にユーザの携帯電話情報と課金情報を送信し、課金要求を行う（Ｓ３０７）。
【００４５】
携帯電話会社４では、課金情報に基づいてＭＦＰ管理会社５にプリント料金を支払い、コンテンツ提供者６にコンテンツ料金を支払う（Ｓ３０８）。さらに、後日、携帯電話１０１の通話料金と同時に、ユーザからプリント料金とコンテンツ料金とを徴収する（Ｓ３０９）。
【００４６】
このように、サーバにあるデータをユーザが選択し、データがＭＦＰ１０２により出力されて初めてユーザが要求した処理に応じた処理料金やコンテンツ料金が適正にユーザに課金されることになり、また、ＲＩＰ展開したデータからページ毎にカラーかモノクロかを判断したのち、判断結果に応じたプリント料金の課金を行うから、一部にモノクロページがあるのに全てカラープリント料金で課金されるような不具合が解消される。
【００４７】
図６は、図１に示した課金システムにおいて、サーバ１０４内のデータをＭＦＰ１でメモリ等にコピーする場合の処理の流れを示す図である。
【００４８】
図６において、携帯電話１０１からネットワーク１０３経由でサーバ１０４にアクセスし、コピーしたいデータを選択する（Ｓ４０１）。ついで、携帯電話１０１は、出力先ＭＦＰ１０２のＩＰアドレスなどのＭＦＰ情報を取得し（Ｓ４０２）、取得したＭＦＰ情報をサーバ１０４に送信する（Ｓ４０３）。
【００４９】
ＭＦＰ１０２は、サーバ１０４からデータとコンテンツ料金情報を受け取ると（Ｓ４０４）、その旨をパネル２０２の表示部２０２１によりユーザに通知し、また、サーバ１０４から受信したデータに対して何の処理を行うかや、処理のための設定などをパネル２０２の表示部２０２１に表示して、ユーザに選択させる。
【００５０】
ユーザがデータコピーの処理を選択した場合、ＭＦＰ１０２の課金管理部２０７は、データコピー料金（データ受信料金）とコンテンツ料金とをパネル２０２の表示部２０２１に表示し、ユーザに了承を得る。
【００５１】
ユーザから了承を得た後、ＭＦＰ１０２のメモリコピー部２０８に接続された、ユーザ所有のＵＳＢカードなどのメモリに対してデータコピーを行い（Ｓ４０５）、サーバ１０４に課金情報（データコピー料金とコンテンツ料金）を送信する（Ｓ４０６）。
【００５２】
サーバ１０４は、ＭＦＰ１０２から課金情報を受信すると、携帯電話会社４にユーザの携帯電話情報と課金情報を送信し、課金要求を行う（Ｓ４０７）。
【００５３】
携帯電話会社４では、課金情報からＭＦＰ管理会社５にデータコピー料金を支払い、コンテンツ提供者６にコンテンツ料金を支払う（Ｓ４０８）。さらに、後日、携帯電話１０１の通話料金と同時に、ユーザからデータコピー料金とコンテンツ料金とをユーザから徴収する（Ｓ４０９）。
【００５４】
このように、サーバ１０４内のデータをユーザ所有のＵＳＢカードなどのメモリに対して書き込む場合には、前記プリントアウトする場合と違う料金で適正に課金されることになる。
【００５５】
図７は、図１に示した課金システムにおいて、サーバ１０４内のデータをＭＦＰ１でデータ変換したのちメモリ等にコピーする場合の処理の流れを示す図である。
【００５６】
図７において、携帯電話１０１からネットワーク１０３経由でサーバ１０４にアクセスし、コピーしたいデータを選択する（Ｓ５０１）。ついで、携帯電話１０１は、出力先ＭＦＰ１０２のＩＰアドレスなどのＭＦＰ情報を取得し（Ｓ５０２）、取得したＭＦＰ情報をサーバ１０４に送信する（Ｓ５０３）。
【００５７】
ＭＦＰ１０２は、サーバ１０４からデータとコンテンツ料金情報を受け取ると（Ｓ５０４）、その旨をパネル２０２の表示部２０２１によりユーザに通知し、また、サーバ１０４から受信したデータに対して何の処理を行うかや、処理のための設定などをパネル２０２の表示部２０２１で表示して、ユーザに選択させる。
【００５８】
ユーザがデータコピーおよびデータ変換処理を選択した場合、ＭＦＰ１０２の課金管理部２０７は、データコピー料金（データ受信料金）とデータ変換料金とコンテンツ料金をパネル２０２の表示部２０２１に表示し、ユーザに了承を得る。
【００５９】
ユーザから了承を得た後、ＭＦＰ１０２のデータ変換部２０５でデータ変換を行った後、メモリコピー部２０８に接続された、ユーザ所有のＵＳＢカードなどのメモリに対してデータコピーを行い（Ｓ５０５）、サーバ１０４に課金情報（データコピー料金、データ変換料金、コンテンツ料金）を送信する（Ｓ５０６）。
【００６０】
前記サーバ１０４は、ＭＦＰ１０２から課金情報を受信すると、携帯電話会社４にユーザの携帯電話情報と課金情報を送信し、課金要求を行う（Ｓ５０７）。
【００６１】
携帯電話会社４では、課金情報からＭＦＰ管理会社５にデータコピー料金およびデータ変換料金を支払い、コンテンツ提供者６にコンテンツ料金を支払う（Ｓ５０８）。さらに、後日、携帯電話１０１の通話料金と同時に、ユーザからデータコピー料金とデータ変換料金とコンテンツ料金とをユーザから徴収する（Ｓ５０９）。
【００６２】
このように、データ変換料金をデータコピー料金とは別にして支払うようにしてあるから、画像補正などのデータ変換の種別に応じた適正な課金が行えることなる。
【００６３】
図８は、図１に示した課金システムにおいて、サーバ１０４内のデータに対して既にコンテンツ料金の支払いが行われている場合の処理の流れを示す図図である。
【００６４】
図８において、携帯電話１０１からネットワーク１０３経由でサーバ１０４にアクセスし、データ処理（プリントアウト、データコピー、データ変換等）したいデータを選択する（Ｓ５０１）。ついで、携帯電話１０１は、出力先ＭＦＰ１０２のＩＰアドレスなどのＭＦＰ情報を取得し（Ｓ５０２）、取得したＭＦＰ情報をサーバ１０４に送信する（Ｓ５０３）。
【００６５】
ＭＦＰ１０２は、携帯電話１０１にＭＦＰ情報を送るときに、携帯電話１０１からユーザの識別情報（ＩＤ）を取得する。
【００６６】
ＭＦＰ１０２は、サーバ１０４からデータとコンテンツ料金情報を受け取ると（Ｓ６０４）、そのコンテンツがユーザのＩＤに対応しているかどうか（既に、自宅のパーソナルコンピュータなどで自分のものになっているものか否か）を判断して、ユーザのＩＤに対応している場合は、コンテンツ料金の課金を行わない。ＭＦＰ１０２の課金管理部２０７は、ユーザのデータ処理の選択操作に応じて、データ処理料金（プリント料金、データコピー料金、データ変換料金）をパネル２０２の表示部２０２１に表示し、ユーザに了承を得る。
【００６７】
ユーザが了承すれば、サーバ１０４にデータ処理料金のみの課金情報を送り（Ｓ６０５）、データ処理を開始する（Ｓ６０６）。
【００６８】
前記サーバ１０４は、ＭＦＰ１０２から課金情報を受信すると、携帯電話会社４にユーザの携帯電話情報と課金情報を送信し、課金要求を行う（Ｓ６０７）。
【００６９】
携帯電話会社４では、課金情報からＭＦＰ管理会社５にデータ処理料金を支払う（Ｓ６０８）。さらに、後日、携帯電話の通話料金と同時に、データ処理料金をユーザから徴収する（Ｓ６０９）。
【００７０】
このように、データのコンテンツがユーザのものとなっていれば、コンテンツ料金は課金されず、データ処理料金のみが支払い対象となり、適正な課金が行える。
【００７１】
図９は、図１に示した課金システムにおいて、コンテンツ料金とデータ処理の一括割引の処理の流れを示す図である。
【００７２】
図９において、携帯電話１０１からネットワーク１０３経由でサーバ１０４にアクセスし、データ処理したいデータを選択する（Ｓ７０１）。ついで、携帯電話１０１は、出力先ＭＦＰ１０２のＩＰアドレスなどのＭＦＰ情報を取得し（Ｓ７０２）、取得したＭＦＰ情報をサーバ１０４に送信する（Ｓ７０３）。
【００７３】
ＭＦＰ１０２は、サーバ１０４からデータとコンテンツ料金情報を受け取ると（Ｓ７０４）、そのコンテンツ提供者６とＭＦＰ管理会社５とが同じであるか否かを判断し、同じである場合、コンテンツ料金とデータ処理料金の料金割引を行う。
【００７４】
ユーザがデータ処理を要求すると、ＭＦＰ１０２の課金管理部２０７は、データ処理料金の割引料金をパネル２０２の表示部２０２１に表示し、ユーザに了承を得る。
【００７５】
ユーザが了承すれば、サーバ１０４にデータ処理料金（割引料金）の課金情報を送り（Ｓ７０５）、データ処理を開始する（Ｓ７０６）。
【００７６】
前記サーバ１０４は、ＭＦＰ１０２から課金情報を受信すると、携帯電話会社４にユーザの携帯電話情報と課金情報を送信し、課金要求を行う（Ｓ７０７）。
【００７７】
携帯電話会社４では、課金情報からＭＦＰ管理会社５にデータ処理料金を支払う（Ｓ７０８）。さらに、後日、携帯電話の通話料金と同時に、データ処理料金（割引料金）をユーザから徴収する（Ｓ７０９）。
【００７８】
このように、コンテンツ提供者６とＭＦＰ管理会社５とが同じである場合、コンテンツ料金とデータ処理料金（プリント、データコピー、データ変換など）の料金が割引されて、適正な課金となる。
【００７９】
図１０は、図１に示した課金システムにおいて、データをＲＩＰ展開したときにエラーが生じたときの処理の流れを示す図である。
【００８０】
図１０において、携帯電話１０１からネットワーク１０３経由でサーバ１０４にアクセスし、プリントアウトしたいデータを選択する（Ｓ８０１）。ついで、携帯電話１０１は、出力先ＭＦＰ１０２のＩＰアドレスなどのＭＦＰ情報を取得し（Ｓ８０２）、取得したＭＦＰ情報をサーバ１０４に送信する（Ｓ８０３）。
【００８１】
ＭＦＰ１０２は、サーバ１０４からデータとコンテンツ料金情報を受け取り（Ｓ８０４）、ユーザがプリントアウトの処理を選択した場合、ＭＦＰ１０２は、サーバ１０４からのデータをＲＩＰ展開し、プリントアウト可能か否かを判断する。
【００８２】
プリント不可能と判断すると、ＭＦＰ１０２は、パネル２０２の表示部２０２１でエラー表示を行い（Ｓ８０６）、その後データを消去する。また、サーバ１０４に課金情報を送信しない。
【００８３】
このように、データをＲＩＰ展開したときにプリントアウトができない状態である場合には料金の支払いはなく、この結果、適正な課金が行われる。
【図面の簡単な説明】
【００８４】
【図１】この発明の一施形態に係る課金システムを示す構成図である。
【図２】同じく課金システムにおけるＭＦＰの電気的構成を示すブロック図である。
【図３】同じく課金システムにおける携帯端末の要部の構成を示すブロック図である。
【図４】同じく課金システムにおけるサーバの要部の構成を示すブロック図である。
【図５】サーバ内のデータをプリントする場合の処理の流れを示す図である。
【図６】サーバ内のデータをコピーする場合の処理の流れを示す図である。
【図７】サーバ内のデータをデータ変換し、コピーする場合の処理の流れを示す図である。
【図８】コンテンツ料金が支払い済の場合の処理の流れを示す図である。
【図９】コンテンツ料金とプリント料金を一括割引する場合の処理の流れを示す図である。
【図１０】ＲＩＰ展開時にエラーが発生した場合の処理の流れを示す図である。
【符号の説明】
【００８５】
４        携帯端末会社
１０１    携帯端末
１０２    ＭＦＰ（データ処理装置）
１０３    ネットワーク
１０４    サーバ
２０３    ネットワークインターフェイスカード
１０１１  通信用インターフェイス部（アクセス手段、情報送信手段）
１０１２  操作部（データ選択手段）
１０１３  ＭＦＰ情報取得部
１０４１  通信用インターフェイス部（ＭＦＰ情報受信部、情報送信部）
１０４３  コンテンツ料金管理部（課金情報通知部）
２０２１  表示部
【図１】
2006195920.tif 000003
【図２】
2006195920.tif 000004
【図３】
2006195920.tif 000005
【図４】
2006195920.tif 000006
【図５】
2006195920.tif 000007
【図６】
2006195920.tif 000008
【図７】
2006195920.tif 000009
【図８】
2006195920.tif 000010
【図９】
2006195920.tif 000011
【図１０】
2006195920.tif 000012